(57)【要約】      （修正有）【課題】本考案は、装飾品トップを構成する容器体のみを回転させて容器体内に収容されている空洞部収容体が空洞部内を移動することにより装飾品トップの容器体の内部の模様を簡単に変化させることができる装飾品トップを提供する。【解決手段】ペンダントトップ１０の球状に形成された容器体１６の内部には球状の空洞部１８が形成されている。この空洞部１８にはダイヤモンド２０Ａとハート状に形成した貴金属体２０Ｂが収容されている。また、空洞部１８にはシリコンオイル２２が封入されている。前記容器体１６の外周面には容器体１６の全周にわたって容器体保持体用溝２４がリング状に窪んで形成されている。この保持体用溝２４にはリング状に形成された容器体保持体２６が配設されている。【選択図】図４
0003137000.tif 000002
【実用新案登録請求の範囲】
【請求項１】
透明な材料で形成された容器体と、この容器体の内部に形成された空洞部と、この空洞部に収容された空洞部収容体と、前記空洞部に封入された粘性の高い液体と、前記容器体の外周に取り付けられて容器体を保持すると共に前記容器体を回転させることができる容器体保持体と、を有してなることを特徴とする装飾品トップ。
【請求項２】
透明な材料で形成された容器体と、この容器体の内部に形成された空洞部と、この空洞部に収容された空洞部収容体と、前記空洞部に封入されたシリコンオイルと、前記容器体の外周に取り付けられて容器体を保持すると共に前記容器体を回転させることができる容器体保持体と、を有してなることを特徴とする装飾品トップ。
【請求項３】
透明な材料で形成された容器体と、この容器体の内部に形成された空洞部と、この空洞部に収容された空洞部収容体と、前記空洞部に封入されたシリコンオイルと、前記容器体の外周面に形成された容器体保持体用溝と、この容器体保持体用溝に配設されて容器体を保持すると共に前記容器体を回転させることができる容器体保持体と、を有してなることを特徴とする装飾品トップ。
【請求項４】
透明な材料で形成された容器体と、この容器体の内部に形成された空洞部と、この空洞部に収容された空洞部収容体と、前記空洞部に封入されたシリコンオイルと、前記容器体の外周面に形成されたリング状の容器体保持体用溝と、この容器体保持体用溝に遊嵌状態で配設されて容器体を保持すると共に前記容器体を回転させることができるリング状の容器体保持体と、を有してなることを特徴とする装飾品トップ。
【考案の詳細な説明】
【技術分野】
【０００１】
本考案は、ペンダントやネックレス等の装飾品に取り付けられて装飾品を構成する装飾品トップに関する。
【背景技術】
【０００２】
従来からペンダントやネックレス等の装飾品のチェーンに取り付けられて使用される装飾品トップが広く知られている。
この装飾品トップは、金や銀等の貴金属等で形成された枠体にダイヤモンド、エメラルド、ルビー等の適宜種類の宝石を固定して形成したり、あるいは金や銀等の貴金属等で花や動物等をかたどって形成している。
このため、従来の装飾品トップは、その形状や模様等が一定して変化しないため、長期間にわたって使用しているとその模様等に飽きてしまうという不具合がある。
そこで、透明な容器体の空洞部の中にオイル等の液体と小さい宝石や貴金属片等を一緒に収容して前記宝石や貴金属片等によって形成される容器体内の模様の変化を楽しむことができるペンダントトップが提案されている。
しかし、このタイプのペンダントトップは前記容器体にチェーン等の吊下体を係止して容器体を単に吊り下げる構成であるため前記容器体のみを回転させることにより前記容器体に収容されている宝石や貴金属片等を移動させて容器体内部の模様を簡単に変化させることは困難である。
【考案の開示】
【考案が解決しようとする課題】
【０００３】
本考案は、上記事実に鑑みなされたものであり、装飾品トップを構成する容器体のみを回転させることにより容器体内に収容されている空洞部収容体が空洞部内をゆっくりと移動させて装飾品トップの容器体の内部の模様等を簡単に変化させることができる装飾品トップを提供するものである。
【課題を解決するための手段】
【０００４】
請求項１の考案は、透明な材料で形成された容器体と、この容器体の内部に形成された空洞部と、この空洞部に収容された空洞部収容体と、前記空洞部に封入された粘性の高い液体と、前記容器体の外周に取り付けられて容器体を保持すると共に前記容器体を回転させることができる容器体保持体と、を有してなることを特徴としている。
請求項２の考案は、透明な材料で形成された容器体と、この容器体の内部に形成された空洞部と、この空洞部に収容された空洞部収容体と、前記空洞部に封入されたシリコンオイルと、前記容器体の外周に取り付けられて容器体を保持すると共に前記容器体を回転させることができる容器体保持体と、を有してなることを特徴としている。
請求項３の考案は、透明な材料で形成された容器体と、この容器体の内部に形成された空洞部と、この空洞部に収容された空洞部収容体と、前記空洞部に封入されたシリコンオイルと、前記容器体の外周面に形成された容器体保持体用溝と、この容器体保持体用溝に配設されて容器体を保持すると共に前記容器体を回転させることができる容器体保持体と、を有してなることを特徴としている。
請求項４の考案は、透明な材料で形成された容器体と、この容器体の内部に形成された空洞部と、この空洞部に収容された空洞部収容体と、前記空洞部に封入されたシリコンオイルと、前記容器体の外周面に形成されたリング状の容器体保持体用溝と、この容器体保持体用溝に遊嵌状態で配設されて容器体を保持すると共に前記容器体を回転させることができるリング状の容器体保持体と、を有してなることを特徴としている。
【考案の効果】
【０００５】
本考案の装飾品トップは、装飾品トップを構成する容器体のみを回転させることができるので容器体の空洞部に収容されている空洞部収容体が空洞部内を移動することにより装飾品トップの模様等を簡単に変化させることができるという優れた効果を有する。
【考案を実施するための最良の形態】
【０００６】
考案を実施するために最良の形態の例として以下のような実施例を示す。
【実施例１】
【０００７】
図１〜図６には本考案の装飾品トップの一実施例が示されている。なお、実施例では装飾品トップをペンダントトップに適用した場合を例にして説明する。
図６に示されるように、本考案に係るペンダントトップ１０が適用される装飾品のペンダント１２は前記ペンダントトップ１０とペンダントトップ１０を吊り下げる吊下体としてのチェーン１４とから構成されている。
図１〜図４に示されるように、前記ペンダントトップ１０の容器体１６は無色透明なクリスタルガラスで球状に形成されている。図４に示されるように、この容器体１６の内部には球状の空洞部１８が形成されている。
図１〜図４に示されるように、この空洞部１８には空洞部収容体２０としてのダイヤモンド２０Ａが複数個収容されている。さらに、空洞部１８には空洞部収容体２０としてのホワイトゴールドでハート状に形成した貴金属体２０Ｂが収容されている。
図４に示されるように、前記空洞部１８には液体としてのシリコンオイル２２が封入されている。このシリコンオイル２２は粘性の比較的高いシリコンオイルが使用されている。従って、図３及び図４に示されるように、前記複数のダイヤモンド２０Ａや貴金属体２０Ｂはシリコンオイル２２の中をゆっくりと浮遊したり沈んだりしながら移動するようになっている。
図４及び図５に示されるように、前記容器体１６の外周面には容器体１６の全周にわたって容器体保持体用溝２４がリング状に窪んで形成されている。
図４に示されるように、この容器体保持体用溝２４には金属でリング状に形成された容器体保持体２６が遊嵌された状態で配設されている。従って、この容器体保持体２６は前記容器体１６を保持することができると共に前記容器体１６は容器体保持体２６の内側を図矢印方向に回転できるようになっている。
図４及び図６に示されるように、前記容器体保持体２６には突起部２８が形成されている。この突起部２８にはチェーン連結具３０が取り付けられている。このチェーン連結具３０には本考案のペンダントトップ１０を吊り下げる前記チェーン１４が取り付けられている。
【０００８】
実施例のペンダントトップ１０の作用を説明する。
図６に示されるように、実施例のペンダント１２はチェーン連結具３０を介してチェーン１４に吊り下げられるようになっている。
従って、前記チェーン１４を首に掛けることにより、ペンダント１２を身に付けることができる。
前記ペンダントトップ１０の容器体１６の内部の模様に飽きた場合は一方の手の指で容器体保持体２６を摘んで、他方の手の指で前記容器体１６を摘んで容器体１６を図矢印方向に回転させる。
すると、前記容器体１６のみが回転することにより容器体１６の空洞部１８に収容されている複数のダイヤモンド２０Ａやホワイトゴールドでハート状に形成した貴金属体２０Ｂは空洞部１８内をゆっくり浮遊したり沈んだりしながら移動する（図３参照）。これにより前記ダイヤモンド２０Ａや貴金属体２０Ｂが移動することにより例えば図１に示す容器体１６の内部の模様が図２に示す容器体１６の内部の模様が変化する。
従って、本考案のペンダントトップ１０は上述のように容器体１６のみを矢印方向に回転させることができるので、ペンダントトップ１０の容器体１６の内部の模様を変化させたい場合は容器体１６のみを回転させることにより容器体１６の内部の模様を簡単に変化させることができる。
また、本考案のペンダントトップ１０は上述したように容器体１６の内部の模様を簡単に変化させることができるので飽き難く、これにより１つのペンダントトップ１０を長期間使用することができるので経済的でもある。
なお、前記空洞部１８には粘性の高いシリコンオイル２２が封入されているので前記ダイヤモンド２０Ａや貴金属体２０Ｂはゆっくり浮遊したり沈んだりしながら移動するのでクリスタルガラスで形成された容器体１６の内周面に傷が付くことを防止でき、ペンダントトップ１０の外観品質が低下するのを防止できる。
また、前記複数のダイヤモンド２０Ａや貴金属体２０Ｂはゆっくり浮遊したり沈んだりしながら移動するのでダイヤモンド２０Ａや貴金属体２０Ｂが当たることにより生じるガシャガシャといううるさい音は生じない。
【０００９】
なお、実施例ではクリスタルガラスで形成された前記容器体１６の外周面には模様を形成しなかったが、前記容器体１６の外周面に彫刻や彩色等によって模様を形成するようにしてもよい。
【００１０】
なお、実施例では装飾品トップを装飾品であるペンダントのペンダントトップ１０に適用した場合を示したが、装飾品トップはペンダントトップに限定されるものでなくネックレストップやブローチトップ、イヤリングトップ等に使用してもよいことは勿論である。
また、実施例では前記容器体１６を透明なクリスタルガラスで形成したが容器体１６は透明な材料であればクリスタルガラス以外で形成してもよいこは勿論である。
なお、実施例では前記容器体１６の形状を球状に形成した場合を示したが、前記容器体１６の形状は球状に限定されるものでなく、例えば容器体１６を円柱形状や三角錐状や立方体形状等をはじめとして他の形状でもよいこは勿論である。
また、実施例では容器体１６に封入した液体としてシリコンオイル２２を示したが粘性の比較的高い液体であればシリコンオイル２２に限定されないことは勿論である。
なお、実施例では空洞部収容体２０としてダイヤモンド２０Ａやホワイトゴールドでハート状に形成した貴金属体２０Ｂを示したが、空洞部収容体２０は前記ダイヤモンド２０Ａや貴金属体２０Ｂに限定されるものでなく、エメラルド、ルビー等の宝石や金や銀等の貴金属、金箔や銀箔の箔等でもよいことは勿論である。
また、前記空洞部１８に収容される空洞部収容体２０の数は実施例に示した数に限定されるものでないことは勿論である。
なお、実施例では吊下体としてチェーン１４を示したが、吊下体はペンダントトップ１０を吊り下げられるものであればチェーン１４に限定されるものでなく、例えば紐等でもよいことは勿論である。
【図面の簡単な説明】
【００１１】
【図１】実施例のペンダントトップの全体正面図である。
【図２】図１の状態のペンダントトップを逆にした状態の全体正面図である。
【図３】実施例のペンダントトップの容器体を回転させている状態の全体正面図である。
【図４】図３の縦断面図である。
【図５】実施例のペンダントトップの一部拡大断面図である。
【図６】実施例のペンダントトップが使用されたペンダントの全体正面図である。
【符号の説明】
【００１２】
１０    ペンダントトップ
１２    ペンダント
１４    チェーン
１６    容器体
１８    空洞部
２０    空洞部収容体
２２    シリコンオイル
２４    容器体保持体用溝
２６    容器体保持体
【図１】
0003137000.tif 000003
【図２】
0003137000.tif 000004
【図３】
0003137000.tif 000005
【図４】
0003137000.tif 000006
【図５】
0003137000.tif 000007
【図６】
0003137000.tif 000008